(57)【要約】  アクセスノードに関連した複数のコンポーネントキャリアのうちの１つのコンポーネントキャリア上に通信装置からアップリンク送信をなすことによりアクセス手順を開始し；その後、アップリンク送信タイミング情報を共有する前記複数のコンポーネントキャリアのグループを、前記１つのコンポーネントキャリアが属するグループとして指定するグループ情報を前記通信装置において受信し；前記グループ情報で指定される前記グループのためのアップリンク送信タイミング情報を使用して前記１つのコンポーネントキャリア上に前記通信装置から更に別のアップリンク送信をなす；ことを含む技術。【選択図】図４
2014525185.tif 000002
【特許請求の範囲】
【請求項１】
アクセスノードに関連した複数のコンポーネントキャリアのうちの１つのコンポーネントキャリア上に通信装置からアップリンク送信をなすことによりアクセス手順を開始する段階と；
その後、アップリンク送信タイミング情報を共有する前記複数のコンポーネントキャリアのグループを、前記１つのコンポーネントキャリアが属するグループとして指定するグループ情報を前記通信装置において受信する段階と；
前記グループ情報で指定される前記グループのためのアップリンク送信タイミング情報を使用して前記１つのコンポーネントキャリア上に前記通信装置から更に別のアップリンク送信をなす段階と；
を含む方法。
【請求項２】
前記アクセス手順は、ランダムアクセス手順である、請求項１に記載の方法。
【請求項３】
前記アップリンク送信は、アクセス要求メッセージを含み、そして前記方法は、前記アクセス要求メッセージに応答して前記グループ情報を受信することを含む、請求項１又は２に記載の方法。
【請求項４】
前記応答は、前記グループ情報で指定された前記グループに対するアップリンクタイミング情報も指定する、請求項３に記載の方法。
【請求項５】
前記アクセス要求メッセージは、ランダムアクセスプリアンブルメッセージであり、前記応答は、ランダムアクセス応答メッセージである、請求項３又は４に記載の方法。
【請求項６】
前記アクセスノードからのオーダーに応答して、前記アクセス手順を開始することを含む、請求項１から５のいずれかに記載の方法。
【請求項７】
前記アクセス手順を開始する前に前記アクセスノードからの１つ以上の送信から検出された構成情報に基づいて前記アップリンク送信を構成することを含む、請求項１から６のいずれかに記載の方法。
【請求項８】
前記構成情報は、前記１つのコンポーネントキャリアが属するアップリンク送信タイミング情報を共有する前記複数のコンポーネントキャリアのグループを指定しない、請求項７に記載の方法。
【請求項９】
前記構成情報は、共通のアップリンク送信タイミング情報を共有する前記複数のコンポーネントキャリアのグループを、前記１つのコンポーネントキャリアが属するグループとして指定し、前記方法は、前記構成情報で指定されたグループが、前記グループ情報で指定されたグループとは異なる場合に、前記グループ情報で指定された前記グループに対してアップリンク送信タイミング情報を使用して前記１つのコンポーネントキャリアにおいて前記更に別のアップリンク送信を優先的に行うことを含む、請求項７に記載の方法。
【請求項１０】
前記構成情報は、無線リソースコントロール再構成メッセージにおいて受信される、請求項７から９のいずれかに記載の方法。
【請求項１１】
無線リソースコントロール再構成メッセージにおいて前記グループ情報を受信することを含む、請求項１又は２に記載の方法。
【請求項１２】
前記アップリンク送信タイミング情報は、タイミング前進情報である、請求項１から１１のいずれかに記載の方法。
【請求項１３】
前記１つのコンポーネントキャリアは、通信装置の二次セルであり、前記アクセスノードに関連した複数のコンポーネントキャリアは、通信装置により一次セルとして使用するように構成された少なくとも１つの他のコンポーネントキャリアを含む、請求項１から１２のいずれかに記載の方法。
【請求項１４】
アクセスノードに関連した複数のコンポーネントキャリアのうちの１つのコンポーネントキャリアにおいてアクセス手順を開始する通信装置からのアップリンク送信をアクセスノードで受信する段階と；
前記アップリンク送信のパラメータの測定に少なくとも一部分基づいて、アップリンク送信タイミング情報を共有する前記複数のコンポーネントキャリアのどのグループが、前記アップリンク送信が受信されたところの前記１つのコンポーネントキャリアを含むべきか決定する段階と；
前記決定の結果を前記アクセスノードから前記通信装置へ送信する段階と；
を含む方法。
【請求項１５】
前記アクセス手順は、ランダムアクセス手順である、請求項１４に記載の方法。
【請求項１６】
前記通信装置からの前記アップリンク送信は、アクセス要求メッセージを含み、前記方法は、更に、前記決定の結果を、前記アクセス要求に対する応答の一部分として前記アクセスノードから前記通信装置へ送信することを含む、請求項１４又は１５に記載の方法。
【請求項１７】
前記応答は、前記決定されたグループに対してアップリンクタイミング情報も指定する、請求項１６に記載の方法。
【請求項１８】
前記アクセス要求メッセージは、ランダムアクセスプリアンブルメッセージであり、前記応答は、ランダムアクセス応答メッセージである、請求項１６又は１７に記載の方法。
【請求項１９】
前記アクセス手順を開始するオーダーを前記アクセスノードから前記通信装置へ送信することを含む、請求項１４から１８のいずれかに記載の方法。
【請求項２０】
前記アップリンク送信を構成するための構成情報を前記アクセスノードから送信することを含む、請求項１４から１９のいずれかに記載の方法。
【請求項２１】
前記構成情報は、アップリンク送信タイミング情報を共有する前記複数のコンポーネントキャリアのグループを、前記１つのコンポーネントキャリアが属するグループとして指定しない、請求項２０に記載の方法。
【請求項２２】
前記構成情報は、共通のアップリンク送信タイミング情報を共有する前記複数のコンポーネントキャリアのグループを、前記１つのコンポーネントキャリアが属するグループとして指定し、前記決定されたグループは、前記構成情報で指定されたグループとは異なる、請求項２０に記載の方法。
【請求項２３】
前記構成情報は、無線リソースコントロール再構成メッセージにおいて送信される、請求項２０から２２のいずれかに記載の方法。
【請求項２４】
前記決定の結果を無線リソースコントロール再構成メッセージにおいて前記アクセスノードから前記通信装置へ送信することを含む、請求項１４又は１５に記載の方法。
【請求項２５】
前記アップリンク送信タイミング情報は、タイミング前進情報である、請求項１４から２４のいずれかに記載の方法。
【請求項２６】
前記１つのコンポーネントキャリアは、通信装置の二次セルであり、前記アクセスノードに関連した複数のコンポーネントキャリアは、通信装置により一次セルとして使用するように構成された少なくとも１つの他のコンポーネントキャリアを含む、請求項１４から２５のいずれかに記載の方法。
【請求項２７】
プロセッサと、コンピュータプログラムコードを含むメモリとを備えた装置において、そのメモリ及びコンピュータプログラムコードは、プロセッサとで、その装置が、アクセスノードに関連した複数のコンポーネントキャリアのうちの１つのコンポーネントキャリア上に通信装置からアップリンク送信をなすことによりアクセス手順を開始し；
その後、アップリンク送信タイミング情報を共有する前記複数のコンポーネントキャリアのグループを、前記１つのコンポーネントキャリアが属するグループとして指定するグループ情報を前記通信装置において受信し；
そして前記グループ情報で指定される前記グループのためのアップリンク送信タイミング情報を使用して前記１つのコンポーネントキャリア上に前記通信装置から更に別のアップリンク送信をなす；
ようにさせるよう構成された装置。
【請求項２８】
前記アクセス手順は、ランダムアクセス手順である、請求項２７に記載の装置。
【請求項２９】
前記アップリンク送信は、アクセス要求メッセージを含み、そして前記メモリ及びコンピュータプログラムコードは、プロセッサとで、前記装置が、前記アクセス要求メッセージに応答して前記グループ情報を受信するようにさせるよう構成される、請求項２７又は２８に記載の装置。
【請求項３０】
前記応答は、前記グループ情報で指定された前記グループに対するアップリンクタイミング情報も指定する、請求項２９に記載の装置。
【請求項３１】
前記アクセス要求メッセージは、ランダムアクセスプリアンブルメッセージであり、前記応答は、ランダムアクセス応答メッセージである、請求項２９又は３０に記載の装置。
【請求項３２】
前記メモリ及びコンピュータプログラムコードは、プロセッサとで、前記装置が、前記アクセスノードからのオーダーに応答して前記アクセス手順を開始するようにさせるよう構成される、請求項２６から３１のいずれかに記載の装置。
【請求項３３】
前記メモリ及びコンピュータプログラムコードは、プロセッサとで、前記装置が、前記アクセス手順を開始する前に前記アクセスノードからの１つ以上の送信から検出された構成情報に基づいて前記アップリンク送信を構成するようにさせるよう構成される、請求項２６から３２のいずれかに記載の装置。
【請求項３４】
前記構成情報は、前記１つのコンポーネントキャリアが属するアップリンク送信タイミング情報を共有する前記複数のコンポーネントキャリアのグループを指定しない、請求項３３に記載の装置。
【請求項３５】
前記構成情報は、共通のアップリンク送信タイミング情報を共有する前記複数のコンポーネントキャリアのグループを、前記１つのコンポーネントキャリアが属するグループとして指定し、前記メモリ及びコンピュータプログラムコードは、プロセッサとで、前記装置が、前記構成情報で指定されたグループが、前記グループ情報で指定されたグループとは異なる場合に、前記グループ情報で指定された前記グループに対してアップリンク送信タイミング情報を使用して前記１つのコンポーネントキャリアにおいて前記更に別のアップリンク送信を優先的に行うようにさせるよう構成される、請求項３３に記載の装置。
【請求項３６】
前記構成情報は、無線リソースコントロール再構成メッセージにおいて受信される、請求項３３から３５のいずれかに記載の装置。
【請求項３７】
前記メモリ及びコンピュータプログラムコードは、プロセッサとで、前記装置が、無線リソースコントロール再構成メッセージにおいて前記グループ情報を受信するようにさせるよう構成される、請求項２７又は２８に記載の装置。
【請求項３８】
アップリンク送信タイミング情報は、タイミング前進情報である、請求項２７から３７のいずれかに記載の装置。
【請求項３９】
前記１つのコンポーネントキャリアは、通信装置の二次セルであり、前記アクセスノードに関連した複数のコンポーネントキャリアは、通信装置により一次セルとして使用するように構成された少なくとも１つの他のコンポーネントキャリアを含む、請求項２７から３８のいずれかに記載の装置。
【請求項４０】
プロセッサと、コンピュータプログラムコードを含むメモリとを備えた装置において、そのメモリ及びコンピュータプログラムコードは、プロセッサとで、その装置が、アクセスノードに関連した複数のコンポーネントキャリアのうちの１つのコンポーネントキャリアにおいてアクセス手順を開始する通信装置からのアップリンク送信をアクセスノードで受信し；
前記アップリンク送信のパラメータの測定に少なくとも一部分基づいて、アップリンク送信タイミング情報を共有する前記複数のコンポーネントキャリアのどのグループが、前記アップリンク送信が受信されたところの前記１つのコンポーネントキャリアを含むべきか決定し；
そして前記決定の結果を前記アクセスノードから前記通信装置へ送信する；
ようにさせるよう構成された装置。
【請求項４１】
前記アクセス手順は、ランダムアクセス手順である、請求項４０に記載の装置。
【請求項４２】
前記通信装置からの前記アップリンク送信は、アクセス要求メッセージを含み、前記メモリ及びコンピュータプログラムコードは、プロセッサとで、前記装置が、前記決定の結果を、前記アクセス要求に対する応答の一部分として前記アクセスノードから前記通信装置へ送信するようにさせるよう構成される、請求項４０又は４１に記載の装置。
【請求項４３】
前記応答は、前記決定されたグループに対してアップリンクタイミング情報も指定する、請求項４２に記載の装置。
【請求項４４】
前記アクセス要求メッセージは、ランダムアクセスプリアンブルメッセージであり、前記応答は、ランダムアクセス応答メッセージである、請求項４２又は４３に記載の装置。
【請求項４５】
前記メモリ及びコンピュータプログラムコードは、プロセッサとで、前記装置が、前記アクセス手順を開始するオーダーを前記アクセスノードから前記通信装置へ送信するようにさせるよう構成される、請求項４２から４４のいずれかに記載の装置。
【請求項４６】
前記メモリ及びコンピュータプログラムコードは、プロセッサとで、前記装置が、前記アップリンク送信を構成するための構成情報を前記アクセスノードから送信するようにさせるよう構成される、請求項４２から４５のいずれかに記載の装置。
【請求項４７】
前記構成情報は、アップリンク送信タイミング情報を共有する前記複数のコンポーネントキャリアのグループを、前記１つのコンポーネントキャリアが属するグループとして指定しない、請求項４６に記載の装置。
【請求項４８】
前記構成情報は、共通のアップリンク送信タイミング情報を共有する前記複数のコンポーネントキャリアのグループを、前記１つのコンポーネントキャリアが属するグループとして指定し、前記決定されたグループは、前記構成情報で指定されたグループとは異なる、請求項４６に記載の装置。
【請求項４９】
前記構成情報は、無線リソースコントロール再構成メッセージにおいて送信される、請求項４６から４８のいずれかに記載の装置。
【請求項５０】
前記メモリ及びコンピュータプログラムコードは、プロセッサとで、前記装置が、前記決定の結果を無線リソースコントロール再構成メッセージにおいて前記アクセスノードから前記通信装置へ送信するようにさせるよう構成される、請求項４０又は４１に記載の装置。
【請求項５１】
前記アップリンク送信タイミング情報は、タイミング前進情報である、請求項４０から５０のいずれかに記載の装置。
【請求項５２】
前記１つのコンポーネントキャリアは、通信装置の二次セルであり、前記アクセスノードに関連した複数のコンポーネントキャリアは、通信装置により一次セルとして使用するように構成された少なくとも１つの他のコンポーネントキャリアを含む、請求項４０から５１のいずれかに記載の装置。
【請求項５３】
請求項１から１３のいずれかに記載の方法を実施するように構成された装置。
【請求項５４】
請求項１４から２６のいずれかに記載の方法を実施するように構成された装置。
【請求項５５】
請求項２７から３９及び５３のいずれかに記載の装置を備えたユーザ装置。
【請求項５６】
請求項４０から５２及び５４のいずれかに記載の装置を備えたアクセスノード。
【請求項５７】
複数の併置された受信器を有するマクロｅＮｏｄｅＢを備えた請求項５７に記載のアクセスノード。
【請求項５８】
コンピュータにロードされたときに、アクセスノードに関連した複数のコンポーネントキャリアのうちの１つのコンポーネントキャリア上に通信装置からアップリンク送信をなすことによってアクセス手順を開始し；
その後、アップリンク送信タイミング情報を共有する前記複数のコンポーネントキャリアのグループを、前記１つのコンポーネントキャリアが属するグループとして指定するグループ情報を前記通信装置において受信し；
そして前記グループ情報で指定される前記グループのためのアップリンク送信タイミング情報を使用して前記１つのコンポーネントキャリア上に前記通信装置から更に別のアップリンク送信をなす；
ようにコンピュータをコントロールするプログラムコード手段を備えたコンピュータプログラム製品。
【請求項５９】
コンピュータにロードされたときに、アクセスノードに関連した複数のコンポーネントキャリアのうちの１つのコンポーネントキャリアにおいてアクセス手順を開始する通信装置からのアップリンク送信をアクセスノードで受信し；
前記アップリンク送信のパラメータの測定に少なくとも一部分基づいて、アップリンク送信タイミング情報を共有する前記複数のコンポーネントキャリアのどのグループが、前記アップリンク送信が受信されたところの前記１つのコンポーネントキャリアを含むべきか決定し；
そして前記決定の結果を前記アクセスノードから前記通信装置へ送信する；
ようにコンピュータをコントロールするプログラムコード手段を備えたコンピュータプログラム製品。
【発明の詳細な説明】
【技術分野】
【０００１】
本発明は、タイミング前進グループを決定することに関する。
【背景技術】
【０００２】
通信装置がタイムスロット内でアップリンク送信を行う時間をコントロールすることは、伝播遅延を補償しそして隣接タイムスロットにおいて送信との干渉を減少する上で助けとなり、従って、サービスのクオリティを改善する上で助けとなる。
【０００３】
通信装置とは、他の当事者との通信に使用できる適当な通信及びコントロール能力が設けられた装置として理解することができる。通信は、例えば、音声、電子メール（ｅ−メール）、テキストメッセージ、データ、マルチメディア、等の通信を含む。通信装置は、典型的に、装置のユーザが通信システムを経て通信を受信及び送信できるようにし、従って、種々のサービスアプリケーションにアクセスするのに使用することができる。
【０００４】
通信システムとは、通信装置、ネットワークエンティティ及び他のノードのような２つ以上のエンティティ間の通信を促進するファシリティである。通信システムは、１つ以上の相互接続ネットワークによって形成される。システムの種々のネットワークを相互接続するために１つ以上のゲートウェイノードが設けられる。例えば、アクセスネットワークと、他の通信ネットワーク、例えば、コアネットワーク及び／又はデータネットワークとの間には、典型的に、ゲートウェイノードが設けられる。
【０００５】
適当なアクセスシステムは、通信装置が、より広い通信システムにアクセスできるようにする。より広い通信システムへのアクセスは、固定ライン又はワイヤレス通信インターフェイス、或いはそれらの組み合わせによって与えられる。ワイヤレスアクセスを与える通信システムは、典型的に、ユーザに対して少なくてもある程度の移動を可能にする。それらは、例えば、セルラーアクセスネットワークの構成によりアクセスが与えられるワイヤレス通信システムを含む。ワイヤレスアクセス技術の他の例は、異なるワイヤレスローカルエリアネットワーク（ＷＬＡＮ）及び衛星ベースの通信システムを含む。
【０００６】
ワイヤレスアクセスシステムは、典型的に、ワイヤレス規格と、システムの種々の要素が何を行うことが許され及びそれをどのように達成すべきか規定した１組の仕様に基づいて動作する。
【０００７】
無線アクセスネットワークは、例えば、それらの進化の順に、ＧＳＭ（登録商標）（グローバルシステム・フォア・モバイル）ＥＤＧＥ（エンハンストデータ・フォア・ＧＳＭ（登録商標）エボリューション）無線アクセスシステム（ＧＥＲＡＮ）、ユニバーサル地上無線アクセスネットワーク（ＵＴＲＡＮ）及び進化型ＵＴＲＡＮ（Ｅ−ＵＴＲＡＮ）を含む。
【０００８】
長期進化（ＬＴＥ）システムでは、ダウンリンク送信は、直交周波数分割多重アクセス（ＯＦＤＭＡ）技術に基づいて行われ、そしてアップリンク送信は、単一キャリア周波数分割多重アクセス（ＳＣＦＤＭＡ）技術に基づいて行われる。各送信は、直交サブキャリアのグループを使用して行われる。サブキャリアは、リソースブロックと称される単位へとグループ分けされ、そして通信装置は、コンポーネントキャリアと称される所定の周波数ブロック内で所定最大数のリソースブロックまでの範囲のリソースブロックのグループを使用して送信を発信又は受信することができる。
【０００９】
更に別のＬＴＥ開発は、単一のコンポーネントキャリアにより画成されるものより広い送信帯域巾をサポートするために２つ以上のコンポーネントキャリアを統合するキャリアアグリゲーションを与える。ケイパブル通信装置は、複数のコンポーネントキャリアにおいて同時に受信又は送信することができる。
【００１０】
通信装置によって使用するように構成された複数のコンポーネントキャリアの１つは、セキュリティ、非アクセス層（ＮＡＳ）移動及び物理的アップリンクコントロールチャンネル（ＰＵＣＣＨ）の送信のために選択的に使用され、一次セル又はＰＣｅｌｌとして知られている。通信装置により使用するように構成された他のコンポーネントキャリアは、二次セル又はＳＣｅｌｌとして知られている。
【００１１】
又、通信装置からのアップリンク送信のために１つ以上のＳＣｅｌｌを、それら１つ以上のＳＣｅｌｌが必要となるまでデアクチベートする可能性も提案されている。ＳＣｅｌｌをデアクチベートすると、ＳＣｅｌｌがデアクチベートされる期間中、通信装置の電力消費が減少する。通信装置の監視活動が減少されて、通信装置は、ＰＤＣＣＨ監視も行わないし、デアクチベートされたＳＣｅｌｌに対するチャンネルクオリティ情報（ＣＱＩ）測定も行わない。デアクチベートされたＳＣｅｌｌのアップリンク活動も停止され、通信装置は、デアクチベートされたＳＣｅｌｌの音声基準信号（ＳＲＳ）を送信しない。
【００１２】
伝播遅延を補償する目的でタイムスロット内のアップリンク送信のタイミングをコントロールするためにタイミング前進（ＴＡ）値／コマンドが使用される。ＬＴＥアップリンクキャリアアグリゲーションの場合に複数のＴＡ値の使用をサポートすることが提案されていると共に、通信装置（サービングセル）からのアップリンク送信に対して構成された複数のコンポーネントキャリアを、同じ各ＴＡ値を共有するコンポーネントキャリアのグループへ分割することも提案されている。
【発明の概要】
【発明が解決しようとする課題】
【００１３】
アクセスネットワークにおいて特定のコンポーネントキャリアをコンポーネントキャリアの適当なグループに指定するのを促進し、そしてその指定の結果を、その特定のコンポーネントキャリアが構成された通信装置へ通信するという課題が認識されている。
【００１４】
この課題を満足することが目的である。
【課題を解決するための手段】
【００１５】
従って、アクセスノードに関連した複数のコンポーネントキャリアのうちの１つのコンポーネントキャリア上に通信装置からアップリンク送信をなすことによってアクセス手順を開始し；その後、アップリンク送信タイミング情報を共有する前記複数のコンポーネントキャリアのグループを、前記１つのコンポーネントキャリアが属するグループとして指定するグループ情報を前記通信装置において受信し；そして前記グループ情報で指定される前記グループのためのアップリンク送信タイミング情報を使用して前記１つのコンポーネントキャリア上に前記通信装置から更に別のアップリンク送信をなす；ことを含む方法が提供される。
【００１６】
１つの実施形態において、前記アクセス手順は、ランダムアクセス手順である。
【００１７】
１つの実施形態において、前記アップリンク送信は、アクセス要求メッセージを含み、そして前記方法は、前記アクセス要求メッセージに応答して前記グループ情報を受信することを含む。
【００１８】
１つの実施形態において、前記応答は、前記グループ情報で指定された前記グループのアップリンクタイミング情報も指定する。
【００１９】
１つの実施形態において、前記アクセス要求メッセージは、ランダムアクセスプリアンブルメッセージであり、前記応答は、ランダムアクセス応答メッセージである。
【００２０】
１つの実施形態において、前記方法は、更に、前記アクセスノードからのオーダーに応答して前記アクセス手順を開始することを含む。
【００２１】
１つの実施形態において、前記方法は、更に、前記アクセス手順を開始する前に前記アクセスノードからの１つ以上の送信から検出された構成情報に基づいて前記アップリンク送信を構成することを含む。
【００２２】
１つの実施形態において、前記構成情報は、前記１つのコンポーネントキャリアが属するアップリンク送信タイミング情報を共有する前記複数のコンポーネントキャリアのグループを指定しない。
【００２３】
１つの実施形態において、前記構成情報は、共通のアップリンク送信タイミング情報を共有する前記複数のコンポーネントキャリアのグループを、前記１つのコンポーネントキャリアが属するグループとして指定し、前記方法は、前記構成情報で指定されたグループが、前記グループ情報で指定されたグループとは異なる場合に、前記グループ情報で指定された前記グループに対してアップリンク送信タイミング情報を使用して前記１つのコンポーネントキャリアにおいて前記更に別のアップリンク送信を優先的に行うことを含む。
【００２４】
１つの実施形態において、前記構成情報は、無線リソースコントロール再構成メッセージにおいて受信される。
【００２５】
１つの実施形態において、前記方法は、更に、無線リソースコントロール再構成メッセージにおいて前記グループ情報を受信することを含む。
【００２６】
１つの実施形態において、アップリンク送信タイミング情報は、タイミング前進情報である。
【００２７】
１つの実施形態において、前記１つのコンポーネントキャリアは、通信装置の二次セルであり、前記アクセスノードに関連した複数のコンポーネントキャリアは、通信装置により一次セルとして使用するように構成された少なくとも１つの他のコンポーネントキャリアを含む。
【００２８】
又、アクセスノードに関連した複数のコンポーネントキャリアのうちの１つのコンポーネントキャリアにおいてアクセス手順を開始する通信装置からのアップリンク送信をアクセスノードで受信し；前記アップリンク送信のパラメータの測定に少なくとも一部分基づいて、アップリンク送信タイミング情報を共有する前記複数のコンポーネントキャリアのどのグループが、前記アップリンク送信が受信されたところの前記１つのコンポーネントキャリアを含むべきか決定し；そして前記決定の結果を前記アクセスノードから前記通信装置へ送信する；ことを含む方法も提供される。
【００２９】
１つの実施形態において、前記アクセス手順は、ランダムアクセス手順である。
【００３０】
１つの実施形態において、前記通信装置からの前記アップリンク送信は、アクセス要求メッセージを含み、前記方法は、更に、前記決定の結果を、前記アクセス要求に対する応答の一部分として前記アクセスノードから前記通信装置へ送信することを含む。
【００３１】
１つの実施形態において、前記応答は、前記決定されたグループに対してアップリンクタイミング情報も指定する。
【００３２】
１つの実施形態において、前記アクセス要求メッセージは、ランダムアクセスプリアンブルメッセージであり、前記応答は、ランダムアクセス応答メッセージである。
【００３３】
１つの実施形態において、前記方法は、更に、前記アクセス手順を開始するオーダーを前記アクセスノードから前記通信装置へ送信することを含む。
【００３４】
１つの実施形態において、前記方法は、更に、前記アップリンク送信を構成するための構成情報を前記アクセスノードから送信することを含む。
【００３５】
１つの実施形態において、前記構成情報は、アップリンク送信タイミング情報を共有する前記複数のコンポーネントキャリアのグループを、前記１つのコンポーネントキャリアが属するグループとして指定しない。
【００３６】
１つの実施形態において、前記構成情報は、共通のアップリンク送信タイミング情報を共有する前記複数のコンポーネントキャリアのグループを、前記１つのコンポーネントキャリアが属するグループとして指定し、前記決定されたグループは、前記構成情報で指定されたグループとは異なる。
【００３７】
１つの実施形態において、前記構成情報は、無線リソースコントロール再構成メッセージにおいて送信される。
【００３８】
１つの実施形態において、前記方法は、更に、前記決定の結果を無線リソースコントロール再構成メッセージにおいて前記アクセスノードから前記通信装置へ送信することを含む。
【００３９】
１つの実施形態において、アップリンク送信タイミング情報は、タイミング前進情報である。
【００４０】
１つの実施形態において、前記１つのコンポーネントキャリアは、通信装置の二次セルであり、前記アクセスノードに関連した複数のコンポーネントキャリアは、通信装置により一次セルとして使用するように構成された少なくとも１つの他のコンポーネントキャリアを含む。
【００４１】
プロセッサと、コンピュータプログラムコードを含むメモリとを備えた装置において、そのメモリ及びコンピュータプログラムコードは、プロセッサとで、その装置が、アクセスノードに関連した複数のコンポーネントキャリアのうちの１つのコンポーネントキャリア上に通信装置からアップリンク送信をなすことによりアクセス手順を開始し；その後、アップリンク送信タイミング情報を共有する前記複数のコンポーネントキャリアのグループを、前記１つのコンポーネントキャリアが属するグループとして指定するグループ情報を前記通信装置において受信し；そして前記グループ情報で指定される前記グループのためのアップリンク送信タイミング情報を使用して前記１つのコンポーネントキャリア上に前記通信装置から更に別のアップリンク送信をなす；ようにさせるよう構成された装置が提供される。
【００４２】
１つの実施形態において、前記アクセス手順は、ランダムアクセス手順である。
【００４３】
１つの実施形態において、前記アップリンク送信は、アクセス要求メッセージを含み、そして前記メモリ及びコンピュータプログラムコードは、プロセッサとで、前記装置が、前記アクセス要求メッセージに応答して前記グループ情報を受信するようにさせるよう構成される。
【００４４】
１つの実施形態において、前記応答は、前記グループ情報で指定された前記グループのアップリンクタイミング情報も指定する。
【００４５】
１つの実施形態において、前記アクセス要求メッセージは、ランダムアクセスプリアンブルメッセージであり、前記応答は、ランダムアクセス応答メッセージである。
【００４６】
１つの実施形態において、前記メモリ及びコンピュータプログラムコードは、プロセッサとで、前記装置が、前記アクセスノードからのオーダーに応答して前記アクセス手順を開始するようにさせるよう構成される。
【００４７】
１つの実施形態において、前記メモリ及びコンピュータプログラムコードは、プロセッサとで、前記装置が、前記アクセス手順を開始する前に前記アクセスノードからの１つ以上の送信から検出された構成情報に基づいて前記アップリンク送信を構成するようにさせるよう構成される。
【００４８】
１つの実施形態において、前記構成情報は、前記１つのコンポーネントキャリアが属するアップリンク送信タイミング情報を共有する前記複数のコンポーネントキャリアのグループを指定しない。
【００４９】
１つの実施形態において、前記構成情報は、共通のアップリンク送信タイミング情報を共有する前記複数のコンポーネントキャリアのグループを、前記１つのコンポーネントキャリアが属するグループとして指定し、前記メモリ及びコンピュータプログラムコードは、プロセッサとで、前記装置が、前記構成情報で指定されたグループが、前記グループ情報で指定されたグループとは異なる場合に、前記グループ情報で指定された前記グループに対してアップリンク送信タイミング情報を使用して前記１つのコンポーネントキャリアにおいて前記更に別のアップリンク送信を優先的に行うようにさせるよう構成される。
【００５０】
１つの実施形態において、前記構成情報は、無線リソースコントロール再構成メッセージにおいて受信される。
【００５１】
１つの実施形態において、前記メモリ及びコンピュータプログラムコードは、プロセッサとで、前記装置が、無線リソースコントロール再構成メッセージにおいて前記グループ情報を受信するようにさせるよう構成される。
【００５２】
１つの実施形態において、アップリンク送信タイミング情報は、タイミング前進情報である。
【００５３】
１つの実施形態において、前記１つのコンポーネントキャリアは、通信装置の二次セルであり、前記アクセスノードに関連した複数のコンポーネントキャリアは、通信装置により一次セルとして使用するように構成された少なくとも１つの他のコンポーネントキャリアを含む。
【００５４】
又、上述した装置を備えたユーザ装置も提供される。
【００５５】
プロセッサと、コンピュータプログラムコードを含むメモリとを備えた装置において、そのメモリ及びコンピュータプログラムコードは、プロセッサとで、その装置が、アクセスノードに関連した複数のコンポーネントキャリアのうちの１つのコンポーネントキャリアにおいてアクセス手順を開始する通信装置からのアップリンク送信をアクセスノードで受信し；前記アップリンク送信のパラメータの測定に少なくとも一部分基づいて、アップリンク送信タイミング情報を共有する前記複数のコンポーネントキャリアのどのグループが、前記アップリンク送信が受信されたところの前記１つのコンポーネントキャリアを含むべきか決定し；そして前記決定の結果を前記アクセスノードから前記通信装置へ送信する；ようにさせるよう構成された装置が提供される。
【００５６】
１つの実施形態において、前記アクセス手順は、ランダムアクセス手順である。
【００５７】
１つの実施形態において、前記通信装置からの前記アップリンク送信は、アクセス要求メッセージを含み、前記メモリ及びコンピュータプログラムコードは、プロセッサとで、前記装置が、前記決定の結果を、前記アクセス要求に対する応答の一部分として前記アクセスノードから前記通信装置へ送信するようにさせるよう構成される。
【００５８】
１つの実施形態において、前記応答は、前記決定されたグループに対してアップリンクタイミング情報も指定する。
【００５９】
１つの実施形態において、前記アクセス要求メッセージは、ランダムアクセスプリアンブルメッセージであり、前記応答は、ランダムアクセス応答メッセージである。
【００６０】
１つの実施形態において、前記メモリ及びコンピュータプログラムコードは、プロセッサとで、前記装置が、前記アクセス手順を開始するオーダーを前記アクセスノードから前記通信装置へ送信するようにさせるよう構成される。
【００６１】
１つの実施形態において、前記メモリ及びコンピュータプログラムコードは、プロセッサとで、前記装置が、前記アップリンク送信を構成するための構成情報を前記アクセスノードから送信するようにさせるよう構成される。
【００６２】
１つの実施形態において、前記構成情報は、アップリンク送信タイミング情報を共有する前記複数のコンポーネントキャリアのグループを、前記１つのコンポーネントキャリアが属するグループとして指定しない。
【００６３】
１つの実施形態において、前記構成情報は、共通のアップリンク送信タイミング情報を共有する前記複数のコンポーネントキャリアのグループを、前記１つのコンポーネントキャリアが属するグループとして指定し、前記決定されたグループは、前記構成情報で指定されたグループとは異なる。
【００６４】
１つの実施形態において、前記構成情報は、無線リソースコントロール再構成メッセージにおいて送信される。
【００６５】
１つの実施形態において、前記メモリ及びコンピュータプログラムコードは、プロセッサとで、前記装置が、前記決定の結果を無線リソースコントロール再構成メッセージにおいて前記アクセスノードから前記通信装置へ送信するようにさせるよう構成される。
【００６６】
１つの実施形態において、アップリンク送信タイミング情報は、タイミング前進情報である。
【００６７】
１つの実施形態において、前記１つのコンポーネントキャリアは、通信装置の二次セルであり、前記アクセスノードに関連した複数のコンポーネントキャリアは、通信装置により一次セルとして使用するように構成された少なくとも１つの他のコンポーネントキャリアを含む。
【００６８】
上述した装置を備えたアクセスノードも提供される。
【００６９】
１つの実施形態において、アクセスノードは、複数の併置された受信器を有するマクロｅＮｏｄｅＢを備えている。
【００７０】
コンピュータにロードされたときに、アクセスノードに関連した複数のコンポーネントキャリアのうちの１つのコンポーネントキャリア上に通信装置からアップリンク送信をなすことによってアクセス手順を開始し；その後、アップリンク送信タイミング情報を共有する前記複数のコンポーネントキャリアのグループを、前記１つのコンポーネントキャリアが属するグループとして指定するグループ情報を前記通信装置において受信し；そして前記グループ情報で指定される前記グループのためのアップリンク送信タイミング情報を使用して前記１つのコンポーネントキャリア上に前記通信装置から更に別のアップリンク送信をなす；ようにコンピュータをコントロールするプログラムコード手段を備えたコンピュータプログラム製品が提供される。
【００７１】
コンピュータにロードされたときに、アクセスノードに関連した複数のコンポーネントキャリアのうちの１つのコンポーネントキャリアにおいてアクセス手順を開始する通信装置からのアップリンク送信をアクセスノードで受信し；前記アップリンク送信のパラメータの測定に少なくとも一部分基づいて、アップリンク送信タイミング情報を共有する前記複数のコンポーネントキャリアのどのグループが、前記アップリンク送信が受信されたところの前記１つのコンポーネントキャリアを含むべきか決定し；そして前記決定の結果を前記アクセスノードから前記通信装置へ送信する；ようにコンピュータをコントロールするプログラムコード手段を備えたコンピュータプログラム製品が提供される。
【００７２】
以下、添付図面を参照し、通信装置へのＴＡグループ情報の配信に関連した技術を一例として詳細に述べる。
【図面の簡単な説明】
【００７３】
【図１】リモート無線ヘッド及び周波数選択性リピータを非併置受信器として使用するセルラー無線アクセスネットワークにおける単一マクロｅＮｏｄｅＢ（ｅＮＢ）のカバレージを示す。
【図２】図１に示すユーザ装置の一例の幾つかのコンポーネントを示す。
【図３】図１に示すマクロｅＮＢ、リモート無線ヘッド、及び周波数選択性リピータに適した装置の一例の幾つかのコンポーネントを示す。
【図４】本発明の一実施形態による図１のユーザ装置で実施される動作の一例を示す。
【図５】本発明の一実施形態による図１のマクロｅＮＢで実施される動作の一例を示す。
【図６】本発明の実施形態においてランダムアクセス応答メッセージに使用するための情報エレメントの一例を示す。
【図７】本発明の実施形態においてランダムアクセス応答メッセージに使用するための情報エレメントの一例を示す。
【図８】本発明の実施形態においてランダムアクセス応答メッセージに使用するための情報エレメントの一例を示す。
【発明を実施するための形態】
【００７４】
以下の説明は、長期進化（ＬＴＥ）リリース１０以降に基づき動作する無線アクセスネットワークを含む通信システムの一例に関するものである。
【００７５】
図１は、例えば、リモート無線ヘッド（ＲＲＨ）４及び周波数選択性リピータ６のような非併置受信器を配備する（セルラーＥ−ＵＴＲＡＮの）単一マクロｅＮＢ２のカバレージの一例を示す。
【００７６】
大きなセルラー無線アクセスネットワークは、数万個のマクロｅＮＢ２を使用することができる。
【００７７】
図２は、図１に示すユーザ装置８の一例の幾つかのコンポーネントを示す。ユーザ装置（ＵＥ）８は、電話コールを発信及び受信し、データネットワークとのデータの受信及び送信を行い、そして例えば、マルチメディア又は他のコンテンツを経験する、等の種々のタスクに使用される。
【００７８】
ＵＥ８は、少なくとも無線信号を送信又は受信することのできる任意の装置である。例えば、これに限定されないが、移動ステーション（ＭＳ）、ワイヤレスインターフェイスカード又は他のワイヤレスインターフェイスファシリティが設けられたポータブルコンピュータ、ワイヤレス通信能力が設けられたパーソナルデータアシスタント（ＰＤＡ）、又はそれらの組み合わせ、等が含まれる。ＵＥ８は、ＵＥ８の適当な無線インターフェイス構成体を経て通信する。そのインターフェイス構成体は、例えば、無線部７及び関連アンテナ構成体により形成される。アンテナ構成体は、ＵＥ８の内部に配置されても、外部に配置されてもよい。
【００７９】
ＵＥ８には、それが遂行するように設計されたタスクに使用するために少なくとも１つのデータ処理エンティティ３及び少なくとも１つのメモリ又はデータ記憶エンティティ７が設けられる。データプロセッサ３及びメモリ７は、適当な回路板９及び／又はチップセットに設けられる。
【００８０】
ユーザは、キーパッド１、音声コマンド、タッチ感知スクリーン又はパッド、その組み合わせ、等の適当なユーザインターフェイスにより、ＵＥ８の動作をコントロールする。ディスプレイ５、スピーカ及びマイクロホンも設けられる。更に、ＵＥ８は、他の装置への適当なコネクタ（ワイヤード又はワイヤレス）、及び／又は例えば、ハンズフリー装置のような外部アクセサリを接続するためのコネクタも備えている。
【００８１】
図３は、図１に示すマクロｅＮＢ２、リモート無線ヘッド４及び周波数選択性リピータ６に適した装置の一例の幾つかのコンポーネントを示す。この装置は、高周波信号を受信及び送信するように構成された高周波アンテナ３０１と、このアンテナ３０１により受信及び送信される高周波信号をインターフェイスするように構成された高周波インターフェイス回路３０３を備えている。高周波インターフェイス回路は、トランシーバとしても知られている。又、この装置は、高周波インターフェイス回路３０３からの信号を処理し、適当なＲＦ信号を発生するように高周波インターフェイス回路３０３をコントロールするよう構成されたデータプロセッサ３０６も備えている。アクセスノードは、更に、データプロセッサ３０６により使用されるデータ、パラメータ及びインストラクションを記憶するためのメモリ３０７も備えている。
【００８２】
図２及び３に各々示して上述した装置は、以下に述べる実施形態に直接関与しない更に別の要素も含むことが理解される。
【００８３】
リモート無線ヘッド４及び周波数選択性リピータは、マクロｅＮＢ２の延長部として考えられる。アップリンク送信のために、それらの受信器、及びマクロｅＮＢ２に位置する受信器は、マクロｅＮＢ２に属する非併置受信器のセットとして一緒に機能し、そしてＵＥ８は、これらのリモート無線ヘッド及び周波数選択性リピータの１つからのダウンリンク送信を、マクロｅＮＢ２からのダウンリンク送信として見る。本発明の実施形態の以下の説明上、マクロｅＮＢ２への或いはそこからの送信とは、特に指示のない限り、マクロｅＮＢ２に関連した周波数選択性リピータのリモート無線ヘッド４を経ての送信を含む。
【００８４】
リモート無線ヘッド４は、固定ラインを経てマクロｅＮＢ２へ接続され、そして周波数選択性リピータは、ワイヤレスインターフェイスを経てマクロｅＮＢへ接続される。
【００８５】
リモート無線ヘッド４及び周波数選択性リピータ６は、ホットスポットにおけるスループットを改善し、及び／又はマクロｅＮＢ２のカバレージを、マクロｅＮＢ２の直接到達域の外側のエリアへと拡張するのに使用される。
【００８６】
マクロｅＮＢ２に関連した非併置受信器のこのセットにおいてＵＥ８からのアップリンク送信を受信することは、上述した種類のコンポーネントキャリアのアグリゲーションを伴う。ＵＥ８からのアップリンク送信について構成されたコンポーネントキャリアの各々を、各共通のＴＡ値を各々共有する複数のコンポーネントキャリアグループの１つに指定し、そして前記コンポーネントキャリアが属するコンポーネントキャリアグループに対してＴＡ値に基づきコンポーネントキャリアにおいてアップリンク送信を行うことで、サービスのクオリティを改善することができる。
【００８７】
図４及び５を参照して、特定のコンポーネントキャリアがどのコンポーネントキャリアグループに属するかに関する情報をＵＥ８に与えるための本発明の実施形態による技術の一例について説明する。この例は、ＵＥ８からのアップリンク送信に対して構成されたコンポーネントキャリアのセットにコンポーネントキャリア（ＳＣｅｌｌ）が追加されたとの状況において述べる。
【００８８】
専用ＲＲＣシグナリングの一部分として、マクロｅＮＢ２は、ＵＥ８からのアップリンク送信に対して構成されたコンポーネントキャリアのセットに追加されるコンポーネントキャリアの構成情報を送信する（「追加ＳＣｅｌｌ」）。この構成情報は、追加ＳＣｅｌｌのためのランダムアクセスチャンネル（ＲＡＣＨ）に関する情報（即ち、追加ＳＣｅｌｌを経てランダムアクセス要求をなすことのできるリソースに関する情報）を含んでも、含まなくてもよく、そして追加ＳＣｅｌｌのための暫定ＴＡグループを指定しても、しなくてもよい。
【００８９】
マクロｅＮＢ２は、ＵＥ８が追加ＳＣｅｌｌを経て３ＧＰＰ  ＴＳ  ３６．３２１で指定された種類のランダムアクセス手順を開始するためのオーダーを、物理的ダウンロードコントロールチャンネル（ＰＤＣＣＨ）を経て送信する（図５のステップ５０２）。ＵＥ８は、ＰＤＣＣＨからのこのオーダーを検出する（図５のステップ５０２）。マクロｅＮＢ２からのこのオーダーの検出に応答して、ＵＥ８は、追加ＳＣｅｌｌに対してＲＡＣＨを経てランダムアクセスプリアンブルメッセージを送信する（図４のステップ４０４）。ランダムアクセスプリアンブルメッセージは、ＵＥ８のランダム識別子（ランダムアクセスプリアンブル識別子（ＲＡＰＩＤ））を指示するヘッダを含む。マクロｅＮＢ２は、このプリアンブルメッセージを正しく受信すると（図５のステップ５０４）、ランダムアクセスプリアンブルメッセージが送信された時間及び位置からＵＥ８により計算できるランダムアクセス−無線ネットワーク一時的識別子（ＲＡ−ＲＮＴＩ）にアドレスされるＰＤＣＣＨによりスケジュールされた時間及び物理的ダウンリンク共有チャンネル（ＰＤＳＣＨ）上の位置においてランダムアクセス応答メッセージをＵＥ８へ送信する（図５のステップ５０８）。マクロｅＮＢ２は、ランダムアクセスプリアンブルメッセージの受信時間の測定から、ＴＡ値に関して追加ＳＣｅｌｌがどのコンポーネントキャリアグループに属するか（このグループを、以下、ＴＡグループと称する）決定することができ（図５のステップ５０６）、そしてマクロｅＮＢ２は、選択されたＴＡグループの指示をランダムアクセス応答メッセージに含む。又、ランダムアクセス応答（ＲＡＲ）メッセージは、そのヘッダにおいて、ランダムアクセスプリアンブルメッセージ（ＲＡＰＩＤ）に指示されたランダム識別子も明記する。又、ＲＡＲメッセージは、そのペイロードにおいて、（ｉ）追加ＳＣｅｌｌを経ての更に別のアップリンク送信に使用されるセル無線ネットワーク一時的ＩＤ（一時的Ｃ−ＲＮＴＩ）、及び（ii）ＵＥ８から追加ＳＣｅｌｌを経ての次のアップリンク送信についてスケジュールされたアップリンクリソースの指示（ＵＬグラント）も指示する。ＵＥ８は、予想される時間にＲＡＲメッセージを受信し（図４のステップ４０６）、その後、ＲＡＲメッセージで指定されたＴＡグループのためのＴＡ値を使用して更に別のアップリンク送信を行う。
【００９０】
ランダムアクセス手順が、二次セル（ＳＣｅｌｌ）に対するものであって（上述した例のように）、一次セル（ＰＣｅｌｌ）に対するものではない場合には、（ｉ）ＵＥがＣ−ＲＮＴＩを既に知っているので、ＲＡＲメッセージは、ＵＥの一時的Ｃ−ＲＮＴＩを指示する必要がなく（以下に述べるように、そうではなく、一次的Ｃ−ＲＮＴＩを指示するのに使用されるＲＡＲメッセージのビットが、ＳＣｅｌｌのＴＡグループ情報を指示するのに使用され）、そして（ii）ＲＡＲメッセージに応答してＵＥ８からのｍｓｇ３の送信が必要とされないので、ＵＬグラントをＲＡＲメッセージから省略することができる。
【００９１】
又、ＲＡＲメッセージのヘッダにおけるＲＡＰＩＤは、ＵＥから送信されるプリアンブル、即ち専用のプリアンブルが与えられる場合にはマクロｅＮＢ２からの前記ＰＤＣＣＨに指示されるプリアンブル、に対応するＩＤである。
【００９２】
それに代わる１つの考えられる形態は、ランダムアクセス手順の完了後にできるだけ早くマクロｅＮＢ２からＵＥ８へ送られるＲＲＣ確認メッセージにＴＡグループ情報を含ませることである。
【００９３】
上述したように、ＵＥ８がランダムアクセスプリアンブルメッセージを送信する前にマクロｅＮＢ２により送信された追加ＳＣｅｌｌの構成情報は、追加ＳＣｅｌｌのためのＲＡＣＨパラメータを含んでも、含まなくてもよく、そして追加ＳＣｅｌｌのためのＴＡグループに関する情報を含んでも、含まなくてもよい。
【００９４】
マクロｅＮＢにより送信されるＳＣｅｌｌ（再）構成情報は、ＴＡグループ情報を決して含まない。ＲＲＣシグナリングの一部分としてマクロｅＮＢ２によって送信された構成情報が追加ＳＣｅｌｌのＲＡＣＨパラメータを含まない場合には、ＵＥ８は、ＰＣｅｌｌを経てのアップリンク送信にそれが使用するＴＡ値を適用するというデフォールト構成を採用する。ＲＲＣシグナリングの一部分としてマクロｅＮＢ２により送信された構成情報が追加ＳＣｅｌｌのＲＡＣＨパラメータを含む場合には、ＵＥ８は、追加ＳＣｅｌｌに対してＴＡグループがまだ構成されないと決定し、そして既存のＴＡグループのＴＡを追加ＳＣｅｌｌに適用できないと決定し、又、ＵＥ８は、ランダムアクセスプリアンブルメッセージに対するこのデフォールト構成を採用せず、むしろ、プリアンブル送信のためのアップリンクタイミングをダウンリンクタイミングと整列させる。
【００９５】
或いは又、追加ＳＣｅｌｌが属するＴＡグループをマクロｅＮＢ２が識別できない場合には、ＲＲＣシグナリングとしてマクロｅＮＢ２により送信される構成情報がＴＡグループ情報を任意に含むこともできる。ＲＲＣシグナリングが追加ＳＣｅｌｌに対するＴＡグループを指示する場合には、ＵＥ８は、指示されたＴＡグループのＴＡ値をランダムアクセスプリアンブルメッセージの送信に適用する。追加ＳＣｅｌｌが属するＴＡグループをマクロｅＮＢ２が識別できないために、追加ＳＣｅｌｌのＴＡグループ情報が含まれない場合には、ＵＥ８は、追加ＳＣｅｌｌに対してＴＡグループがまだ構成されないと決定し、そして既存のＴＡグループに対するＴＡを追加ＳＣｅｌｌに適用できないと決定する。むしろ、ＵＥ８は、プリアンブル送信のためのアップリンクタイミングをダウンリンクタイミングと整列させる。
【００９６】
別の態様によれば、追加ＳＣｅｌｌに対してマクロｅＮＢによって送信される構成情報は、追加ＳＣｅｌｌに対するＴＡグループ情報を含まねばならない。マクロｅＮＢ２が追加ＳＣｅｌｌに適したＴＡグループを識別できない場合には、マクロｅＮＢ２は、それがこの暫定指示を無効化できることを知って、上述したように、追加ＳＣｅｌｌを経てＵＥ８からランダムアクセスプリアンブルメッセージを正しく受信する際に、それがＵＥ８へ送信するＲＡＲメッセージにおいて異なるＴＡグループを指定することにより、例えば、ＰＣｅｌｌのＴＡグループ又は新規グループをＲＲＣシグナリングに指定することができる。
【００９７】
上述したように、マクロｅＮＢ２により送られたＲＲＣシグナリングがＲＡＣＨパラメータも追加ＳＣｅｌｌに対するＴＡグループ情報も含まない場合には、ＵＥ８は、ＰＣｅｌｌと同じＴＡを適用し、そして１つのＴＡグループだけがある（又はむしろＴＡグループがない）と仮定する。これは、以前のＬＴＥリリースのｅＮＢとの上位互換性を保証する。
【００９８】
追加ＳＣｅｌｌに対してＲＡＲメッセージに指定されたＴＡグループは、必ずしも、ＵＥ８からのアップリンク送信に対して構成された別のコンポーネントキャリアを含むＴＡグループではない。この場合に、ＲＡＲメッセージは、追加ＳＣｅｌｌに対するＴＡグループのＴＡ値も指定する。追加ＳＣｅｌｌのＴＡグループがＵＥ８に対する別のアクチベートされたコンポーネントキャリアを含む場合には、ＲＡＲメッセージは、ＴＡグループのＴＡ値を指定しても、しなくてもよく、ＵＥ８は、ＵＥに対して構成され且つ同じＴＡグループに属する１つ以上の他のコンポーネントキャリアに関連してこのＴＡグループのＴＡ値を既に知っている。
【００９９】
図６から９は、上述した技術におけるＲＡＲメッセージのペイロードに対する情報エレメントの例を示す。
【０１００】
図６の例では、Ｘフィールド（１ビット）は、ＴＡグループが２つ以下の場合に追加ＳＣｅｌｌのＴＡグループを指示する。ＴＡグループが合計で２つを越える場合には、Ｘフィールドは、情報エレメントが追加ＳＣｅｌｌに対してＴＡグループインデックスを指定することを示すために“１”にセットされ、そしてグループインデックスフィールドは、追加ＳＣｅｌｌに対するＴＡグループを指定する。又、情報エレメントは、グループインデックスフィールドに指定されたＴＡグループのＴＡ値（タイミング前進）も指定する。
【０１０１】
図７及び８は、ＵＬグラントのないＲＡＲメッセージのペイロードの情報エレメントに対する新たなフォーマットの例を示す。新たな情報エレメントは、その情報エレメントが新たなフォーマットに従うことを示すためにＸフィールドが“１”にセットされる（図７）か、或いはＲＡＣＨ構成パラメータを指定する専用のＲＲＣシグナリングにＴＡグループ情報が存在しないことを検出すると、ＵＥ８がこの新たなフォーマットを暗示的に予想する場合には、そのような明確な指示を省略することができる（図８）。
【０１０２】
図６ないし８の全ての例において、情報エレメントは、ＵＥ８に対する一時的なＣ−ＲＮＴＩの指示を省略する。上述したように、ＲＡＲメッセージにおける一時的なＣ−ＲＮＴＩの指示は、ランダムアクセス手順がＳＣｅｌｌに対するものであって、ＰＣｅｌｌに対するものではない上述した技術の例では、必要でない。むしろ、ＵＥ８に対するＣ−ＲＮＴＩを指示するのに使用されるビット／リソースは、ＴＡグループ情報（グループインデックス）、及び指定のＴＡグループのＴＡ値（タイミング前進）を指示するのに使用される。
【０１０３】
早期のＬＴＥリリースのｅＮＢとの上位互換性を保証することは、ＲＡＲメッセージのメディアアクセスコントロールプロトコルデータユニット（ＭＡＣ  ＰＤＵ）に最後にエントリーするときの新たな情報エレメントを含めて、この新たな種類の情報エレメントを採用する個々のＲＡＲメッセージに対して達成することができる。
【０１０４】
上述した技術は、特に、例えば、マクロｅＮＢのもとで動作する周波数選択性リピータの存在及び位置を知ることが困難なシステムに使用される。通信装置からのアップリンク送信に対して構成されたコンポーネントキャリアのセットにＳＣｅｌｌを追加するとき、マクロｅＮＢは、追加ＳＣｅｌｌが既存のＴＡグループに属するかどうか常に分かるのではない。上述した技術では、構成されたコンポーネントキャリアのセットにＳＣｅｌｌを追加するとき、その追加ＳＣｅｌｌが既存のＴＡグループに属するかどうかマクロｅＮＢが知らない場合でも、アクセス手順の初期段階に正確なＴＡグループ情報が通信装置に与えられる。
【０１０５】
上述した動作は、種々のエンティティにおけるデータ処理を要求する。このデータ処理は、１つ以上のデータプロセッサにより行われる。同様に、前記実施形態で述べた種々のエンティティは、単一又は複数のデータ処理エンティティ及び／又はデータプロセッサ内で実施される。コンピュータにロードしたときに前記実施形態を具現化するための適切に適応されたコンピュータプログラムコード製品が使用される。動作をするためのプログラムコード製品は、キャリアディスク、カード又はテープのようなキャリア媒体に記憶されそしてそれにより形成される。このプログラムコード製品は、データネットワークを経てダウンロードすることができる。サーバーの適当なソフトウェアで具現化がなされる。
【０１０６】
例えば、前記実施形態は、チップセットとして具現化され、換言すれば、互いに通信する一連の集積回路として具現化される。チップセットは、前記動作を遂行するためのコード、特定用途向け集積回路（ＡＳＩＣ）、又はプログラム可能なデジタル信号プロセッサをランするように構成されたマイクロプロセッサを含む。
【０１０７】
前記実施形態は、集積回路モジュールのような種々のコンポーネントにおいて具現化される。集積回路の設計は、全般的に、高度な自動化プロセスである。論理レベル設計を、半導体基板上にエッチングし且つ成形する準備のできた半導体回路設計へと変換するための複雑で且つパワフルなソフトウェアツールを入手することができる。カリフォルニア州マウンテンビューのシノプシス・インク及びカリフォルニア州サンノセのカデンス・デザインにより提供されるもののようなプログラムは、適切に確立された設計ルール及び事前に記憶された設計モジュールのライブラリを使用して、自動的に半導体チップ上に導体を引き回しそしてコンポーネントを配置する。半導体回路の設計が完了すると、それにより得られる標準電子フォーマット（例えば、Ｏｐｕｓ、ＧＤＳＩＩ、等）の設計は、製造のために半導体製造ファシリティ又は“ｆａｂ”へ送信される。
【０１０８】
前記で明確に述べた変更に加えて、当業者であれば、上述した技術の種々の他の変更がなされ得ること、及び上述した技術が他の通信システムにも適用できることが明らかであろう。
【符号の説明】
【０１０９】
２：ｅＮＢ
３：データプロセッサ
４：リモート無線ヘッド
６：周波数選択性リピータ
７：メモリ
８：ユーザ装置
９：回路板
３０１：高周波アンテナ
３０３：高周波インターフェイス回路
３０６：データプロセッサ
３０７：メモリ
【図１】
2014525185.tif 000003
【図２】
2014525185.tif 000004
【図３】
2014525185.tif 000005
【図４】
2014525185.tif 000006
【図５】
2014525185.tif 000007
【図６】
2014525185.tif 000008
【図７】
2014525185.tif 000009
【図８】
2014525185.tif 000010
【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
アクセスノードに関連した複数のコンポーネントキャリアのうちの１つのコンポーネントキャリア上に通信装置からアップリンク送信をなすことによりアクセス手順を開始する段階と；
その後、アップリンク送信タイミング情報を共有する前記複数のコンポーネントキャリアのグループを、前記１つのコンポーネントキャリアが属するグループとして指定するグループ情報を前記通信装置において受信する段階と；
前記グループ情報で指定される前記グループのためのアップリンク送信タイミング情報を使用して前記１つのコンポーネントキャリア上に前記通信装置から更に別のアップリンク送信をなす段階と；
を含む方法。
【請求項２】
前記アクセス手順は、ランダムアクセス手順である、請求項１に記載の方法。
【請求項３】
前記アップリンク送信は、アクセス要求メッセージを含み、そして前記方法は、前記アクセス要求メッセージに応答して前記グループ情報を受信することを含む、請求項１又は２に記載の方法。
【請求項４】
前記応答は、前記グループ情報で指定された前記グループに対するアップリンクタイミング情報も指定する、請求項３に記載の方法。
【請求項５】
前記アクセス要求メッセージは、ランダムアクセスプリアンブルメッセージであり、前記応答は、ランダムアクセス応答メッセージである、請求項３又は４に記載の方法。
【請求項６】
前記アクセスノードからのオーダーに応答して、前記アクセス手順を開始することを含む、請求項１から５のいずれかに記載の方法。
【請求項７】
前記アクセス手順を開始する前に前記アクセスノードからの１つ以上の送信から検出された構成情報に基づいて前記アップリンク送信を構成することを含む、請求項１から６のいずれかに記載の方法。
【請求項８】
前記構成情報は、前記１つのコンポーネントキャリアが属するアップリンク送信タイミング情報を共有する前記複数のコンポーネントキャリアのグループを指定しない、請求項７に記載の方法。
【請求項９】
前記構成情報は、共通のアップリンク送信タイミング情報を共有する前記複数のコンポーネントキャリアのグループを、前記１つのコンポーネントキャリアが属するグループとして指定し、前記方法は、前記構成情報で指定されたグループが、前記グループ情報で指定されたグループとは異なる場合に、前記グループ情報で指定された前記グループに対してアップリンク送信タイミング情報を使用して前記１つのコンポーネントキャリアにおいて前記更に別のアップリンク送信を優先的に行うことを含む、請求項７に記載の方法。
【請求項１０】
前記構成情報は、無線リソースコントロール再構成メッセージにおいて受信される、請求項７から９のいずれかに記載の方法。
【請求項１１】
無線リソースコントロール再構成メッセージにおいて前記グループ情報を受信することを含む、請求項１又は２に記載の方法。
【請求項１２】
前記アップリンク送信タイミング情報は、タイミング進ませ情報である、請求項１から１１のいずれかに記載の方法。
【請求項１３】
前記１つのコンポーネントキャリアは、通信装置の二次セルであり、前記アクセスノードに関連した複数のコンポーネントキャリアは、通信装置により一次セルとして使用するように構成された少なくとも１つの他のコンポーネントキャリアを含む、請求項１から１２のいずれかに記載の方法。
【請求項１４】
アクセスノードに関連した複数のコンポーネントキャリアのうちの１つのコンポーネントキャリアにおいてアクセス手順を開始する通信装置からのアップリンク送信をアクセスノードで受信する段階と；
前記アップリンク送信のパラメータの測定に少なくとも一部分基づいて、アップリンク送信タイミング情報を共有する前記複数のコンポーネントキャリアのどのグループが、前記アップリンク送信が受信されたところの前記１つのコンポーネントキャリアを含むべきか決定する段階と；
前記決定の結果を前記アクセスノードから前記通信装置へ送信する段階と；
を含む方法。
【請求項１５】
プロセッサと、コンピュータプログラムコードを含むメモリとを備えた装置において、そのメモリ及びコンピュータプログラムコードは、プロセッサとで、その装置が、アクセスノードに関連した複数のコンポーネントキャリアのうちの１つのコンポーネントキャリア上に通信装置からアップリンク送信をなすことによりアクセス手順を開始し；
その後、アップリンク送信タイミング情報を共有する前記複数のコンポーネントキャリアのグループを、前記１つのコンポーネントキャリアが属するグループとして指定するグループ情報を前記通信装置において受信し；
そして前記グループ情報で指定される前記グループのためのアップリンク送信タイミング情報を使用して前記１つのコンポーネントキャリア上に前記通信装置から更に別のアップリンク送信をなす；
ようにさせるよう構成された装置。
【請求項１６】
プロセッサと、コンピュータプログラムコードを含むメモリとを備えた装置において、そのメモリ及びコンピュータプログラムコードは、プロセッサとで、その装置が、アクセスノードに関連した複数のコンポーネントキャリアのうちの１つのコンポーネントキャリアにおいてアクセス手順を開始する通信装置からのアップリンク送信をアクセスノードで受信し；
前記アップリンク送信のパラメータの測定に少なくとも一部分基づいて、アップリンク送信タイミング情報を共有する前記複数のコンポーネントキャリアのどのグループが、前記アップリンク送信が受信されたところの前記１つのコンポーネントキャリアを含むべきか決定し；
そして前記決定の結果を前記アクセスノードから前記通信装置へ送信する；
ようにさせるよう構成された装置。
【請求項１７】
コンピュータにロードされたときに、アクセスノードに関連した複数のコンポーネントキャリアのうちの１つのコンポーネントキャリア上に通信装置からアップリンク送信をなすことによってアクセス手順を開始し；
その後、アップリンク送信タイミング情報を共有する前記複数のコンポーネントキャリアのグループを、前記１つのコンポーネントキャリアが属するグループとして指定するグループ情報を前記通信装置において受信し；
そして前記グループ情報で指定される前記グループのためのアップリンク送信タイミング情報を使用して前記１つのコンポーネントキャリア上に前記通信装置から更に別のアップリンク送信をなす；
ようにコンピュータをコントロールするプログラムコード手段を備えたコンピュータプログラム製品。
【請求項１８】
コンピュータにロードされたときに、アクセスノードに関連した複数のコンポーネントキャリアのうちの１つのコンポーネントキャリアにおいてアクセス手順を開始する通信装置からのアップリンク送信をアクセスノードで受信し；
前記アップリンク送信のパラメータの測定に少なくとも一部分基づいて、アップリンク送信タイミング情報を共有する前記複数のコンポーネントキャリアのどのグループが、前記アップリンク送信が受信されたところの前記１つのコンポーネントキャリアを含むべきか決定し；
そして前記決定の結果を前記アクセスノードから前記通信装置へ送信する；
ようにコンピュータをコントロールするプログラムコード手段を備えたコンピュータプログラム製品。
【国際調査報告】
2014525185.tif 000011
2014525185.tif 000012
2014525185.tif 000013
2014525185.tif 000014